(57)【要約】コンフィギュレーションのために管理者マスタ制御機器(MD)と接続遠隔機器(RD)の間の通信用プロトコルを用いるデータ及び遠隔通信の少なくとも一方のネットワークにおける管理者マスタ制御機器でのコンフィギュレーション・インタフェース(fa)は、使用される通信インタフェース(fa1)、構成される遠隔機器、及び遠隔機器においてどの機能が構成されるかを含むデータ・フィールドをコンフィギュレーション・インタフェースに与える。インタフェースは、さらにマスタ制御機器(MD)と、遠隔機器(RD)とのインタラクションとに関するｆａにコンフィギュレーション情報を格納して、管理者から見てマスタ制御機器(MD)においてローカルに位置するよう遠隔機器のコンフィギュレーションを集約し、１位置から２機器のコンフィギュレーションを形成し、機器間の同期外れのコンフィギュレーションを解消する。本発明は、ｆａ用の方法、信号及び電子メモリに関する。
2008512041.tif 000002
【特許請求の範囲】
【請求項１】
コンフィギュレーションのために管理者マスタ制御機器と複数の接続された遠隔機器の間の通信用のプロトコルを用いるデータ通信および遠隔通信の少なくとも一方のためのネットワークにおける前記管理者マスタ制御機器におけるコンフィギュレーション・インタフェースであって、
使用されるコンフィギュレーション・インタフェースの名称、機能構成される遠隔機器、および前記遠隔機器においてどの機能が構成されるべきかを含むそれぞれのデータ・フィールドを、前記コンフィギュレーション・インタフェースに与え、
さらに、前記マスタ制御機器から１つのチェーンを成す複数の接続された遠隔機器における任意の接続された遠隔機器を機能構成し、そのために、前記機能構成される機器および前記加えられた機器において構成される機能のためのそれぞれのフィールドをさらに追加し、
前記マスタ制御機器と、遠隔機器との間のインタラクションとに関するコンフィギュレーション情報を前記コンフィギュレーション・インタフェースに格納し、それによって、管理者から見て前記マスタ制御機器においてローカルに位置するよう遠隔機器のコンフィギュレーションを集約し、１つの位置から少なくとも２つの機器のコンフィギュレーションを形成し、前記機器間の同期外れのコンフィギュレーションを解消すること、
を含む、コンフィギュレーション・インタフェース。
【請求項２】
前記フィールドは、前記遠隔機器をアドレスするための前記プロトコルによって用いられるものである、請求項１に記載のコンフィギュレーション・インタフェース。
【請求項３】
前記チェーンを成す複数の遠隔機器は、ブロードバンド・ネットワークにおいて前記マスタ制御機器から設備における端末機器への経路を含むものである、請求項１に記載のコンフィギュレーション・インタフェース。
【請求項４】
前記管理者マスタ制御機器は、前記マスタ制御機器に直接接続された各遠隔機器用のコンフィギュレーション・インタフェースを有するものである、請求項１に記載のコンフィギュレーション・インタフェース。
【請求項５】
コンフィギュレーションのために管理者マスタ制御機器と複数の接続された遠隔機器の間の通信用のプロトコルを用いるデータ通信および遠隔通信の少なくとも一方のためのネットワークにおける前記管理者マスタ制御機器におけるコンフィギュレーション・インタフェースを形成する方法であって、
使用されるコンフィギュレーション・インタフェースの名称、機能構成される遠隔機器、および前記遠隔機器においてどの機能が構成されるか、を含むそれぞれのデータ・フィールドを、前記コンフィギュレーション・インタフェースに形成し、
さらに、前記マスタ制御機器から１つのチェーンを成す複数の接続された遠隔機器における任意の接続された遠隔機器を機能構成し、そのために、前記機能構成される機器および前記加えられた機器において構成される機能のためのそれぞれのフィールドをさらに追加し、
前記マスタ制御機器と、遠隔機器との間のインタラクションとに関するコンフィギュレーション情報を前記コンフィギュレーション・インタフェースに格納し、それによって、管理者から見て前記マスタ制御機器においてローカルに位置するよう遠隔機器のコンフィギュレーションを集約し、１つの位置から少なくとも２つの機器のコンフィギュレーションを形成し、前記機器間の同期外れのコンフィギュレーションを解消すること、
を含む、方法。
【請求項６】
前記フィールドは、前記遠隔機器をアドレスするための前記プロトコルによって用いられるものである、請求項５に記載の方法。
【請求項７】
前記チェーンを成す複数の遠隔機器は、ブロードバンド・ネットワークにおいて前記マスタ制御機器から設備における端末機器への経路を含むものである、請求項５に記載の方法。
【請求項８】
各遠隔機器コンフィギュレーション・インタフェースを用いて、前記マスタ制御機器から１つのチェーンを成す複数の接続された遠隔機器における任意の接続された遠隔機器を機能構成し、そのために、前記機能構成される機器および前記加えられた機器において構成される機能のためのそれぞれのフィールドをさらに追加する、請求項７に記載の方法。
【請求項９】
請求項１乃至３のいずれかに記載のコンフィギュレーション・インタフェースからの情報を搬送する搬送信号。
【請求項１０】
請求項１乃至３のいずれかに記載のコンフィギュレーション・インタフェースを格納する電子メモリ。
【請求項１１】
前記電子メモリがＣＤディスク、ＤＶＤディスク、ＵＳＢメモリまたは同様のメモリである、請求項１０に記載のコンフィギュレーション・インタフェース。
【発明の詳細な説明】
【技術分野】
【０００１】
本発明は、コンフィギュレーション（機器構成、機能構成）のための、マスタ／主要制御機器と複数の接続された遠隔機器の間での通信用のプロトコルを用いた、データ通信および遠隔通信のうちの少なくとも一方のためのネットワークにおける管理者マスタ／主要制御機器におけるコンフィギュレーション・インタフェースに関する。さらに、本発明は、そのコンフィギュレーション・インタフェースを構成する、方法、信号および電子記憶装置（メモリ）に関する。
【背景技術】
【０００２】
例えばルータ、スイッチ（交換機）、マルチプレクサ（多重化器）のようなデータ通信および遠隔通信ネットワークにおける通信に用いられる機器は、それぞれのタスク（処理、仕事）を実行するために同期させなければならない。現在、これは、各機器の自己のコンフィギュレーションによって達成される。
【０００３】
例えばマルチプレクサであるルータおよび遠隔機器のようなマスタ制御機器を有する人々の施設（premises）にテレビジョン、ラジオ、電話、インターネットを提供する例えばブロードバンド・ネットワークの運営管理者（アドミニストレータ）は、複数の機器の各々を別々に機能構成しなければならない。その際、障害または故障（fault）が出現し、マスタ機器と遠隔機器の間のコンフィギュレーション（構成）に同期外れが発生することがある。複数の機器の多数回ものコンフィギュレーションおよびリコンフィギュレーション（re-configuration：再構成）が運営管理者によって常に実行され、その際、新しい加入者を接続し、または前の加入者を切断し、新しい機器を実装し、機器およびその機能を更新し、その他の仕事が行われ、それによって障害または故障の発生の可能性が高くなる。
【０００４】
マスタ機器と遠隔機器のコンフィギュレーションに関する問題を解決するために、ネットワークにおける個々の（別々の）コンフィギュレーションの数を少なくすると有利である。
【発明の開示】
【０００５】
発明の概要
本発明の目的は、例えばケーブル、光ファイバおよび無線、等用のブロードバンド・ネットワークのようなデータ通信および遠隔通信のコンフィギュレーションに関する問題を解決することである。そのために、本発明は、コンフィギュレーションのために運営管理者マスタ／主要制御機器と複数の接続された遠隔機器の間の通信用のプロトコルを用いる、データ通信および遠隔通信の少なくとも一方のためのネットワークにおける運営管理者マスタ／主要制御機器におけるコンフィギュレーション・インタフェースを実現する。
【０００６】
即ち、本発明は、
使用されるコンフィギュレーション・インタフェースの名称（name）、機能構成される遠隔機器、その遠隔機器においてどの機能が機能構成されるべきか、を含むデータ・フィールドを、前記コンフィギュレーション・インタフェースに与え（用意し）；
さらに、前記マスタ制御機器から１つのチェーンを成す複数の接続された遠隔機器における任意の接続された（１つの）遠隔機器を機能構成し、それを、機能構成される機器およびその加えられた機器において機能構成される機能のためのそれぞれのフィールドをさらに追加することによって行い；
前記マスタ制御機器と、さらに遠隔機器との間のインタラクション（対話）とに関するコンフィギュレーション情報を前記コンフィギュレーション・インタフェースに格納し、それによって、運営管理者から見て（in view of：を考慮して）そのマスタ制御機器においてローカル（局所的に）位置するようそれぞれの遠隔機器のそのコンフィギュレーションを集約化して構成し（abstract：集約し、要約し、一般化し、抽象化し、上位概念化し、共通化し、分離し）、１つの位置から少なくとも２つの機器のコンフィギュレーションを形成（達成）し、前記機器間の同期外れの（desynchronized）コンフィギュレーションを解消すること、
を含む。
【０００７】
本発明の１つの実施形態では、それらの遠隔機器をアドレスするためのプロトコルによってその名称が用いられる。
【０００８】
別の実施形態では、その１つのチェーン（鎖）を成す複数の遠隔機器は、ブロードバンド・ネットワークにおいてそのマスタ制御機器から設備における端末装置へのルート（経路）を含んでいる。
【０００９】
さらに別の実施形態では、管理者マスタ制御機器は、マスタ制御機器への直接接続を有する各遠隔機器のためのコンフィギュレーション・インタフェースを有する。
【００１０】
さらに、本発明は、コンフィギュレーションのために管理者マスタ／主要制御機器と複数の接続された遠隔機器の間の通信用のプロトコルを用いる、データ通信および遠隔通信の少なくとも一方のためのネットワークにおける管理者マスタ／主要制御機器におけるコンフィギュレーション・インタフェースに関する。
【００１１】
本発明の方法は、
使用されるコンフィギュレーション・インタフェースの名称、機能構成される遠隔機器、および前記遠隔機器においてどの機能が機能構成されるべきか、を含むそれぞれのデータ・フィールドを、前記コンフィギュレーション・インタフェースに形成し；
さらに、前記マスタ制御機器から１つのチェーンを成す複数の接続された遠隔機器における任意の接続された（１つの）遠隔機器を機能構成し、それを、その機能構成される機器およびその加えられた機器において機能構成される機能のためのそれぞれのフィールドをさらに追加することによって行い；
前記マスタ制御機器と、さらに遠隔機器との間のインタラクションとに関するコンフィギュレーション情報を前記コンフィギュレーション・インタフェースに格納し、それによって、運営管理者から見て（を考慮して）前記マスタ制御機器においてローカルに位置するよう遠隔機器のコンフィギュレーションを集約して構成し、１つの位置から少なくとも２つの機器のコンフィギュレーションを形成（達成）し、前記機器間の同期外れのコンフィギュレーションを解消すること、
を含む。
【００１２】
本発明の方法の別の実施形態は、上述のインタフェース請求項に対応し、方法の独立請求項として記載されている。
【００１３】
さらに、本発明は、上述のコンフィギュレーション・インタフェースによるコンフィギュレーション・インタフェースから情報を搬送する信号を定める。
【００１４】
さらに、本発明は、上述のコンフィギュレーション・インタフェースによるコンフィギュレーション・インタフェースを格納する電子メモリを定める。
【００１５】
その電子メモリの実施形態は、ＣＤディスク、ＤＶＤディスク、ＵＳＢメモリ、ＲＡＭメモリ、または同様のメモリからなる。
【発明を実施するための最良の形態】
【００１６】
従って、次の詳細な説明において、本発明をより良く理解するために、図面を参照して所与の例および実施形態を用いて本発明を説明する。
【００１７】
本発明は、概念的に情報のコンフィギュレーション（機能構成化）または情報の再生を行うための遠隔インタフェースのアドレシングに関する。マスタ／主要（メイン）機器および遠隔／スレーブ機器が互いにどのようにアドレスするか、マスタ機器が遠隔機器にコンフィギュレーション情報をどのように送信するか、および遠隔機器からマスタ機器に情報がどのように送信されるかは、発明の具体的（特定の）実装形態しだいで決まる。
【００１８】
遠隔機器に関する再生、遠隔リンク状態、統計およびその他の情報は、マスタ機器においてローカルに示されている。従って、マスタ機器と遠隔機器の間の通信は、デュプレックス（二重）、全二重通信または同様の通信であると理解すべきである。それらの機器の１つが遠隔機器であっても、受信情報に関する全てが完全に見える（把握される）形で（with full insight）達成される。
【００１９】
現在、本発明は、次のようにマスタ機器と遠隔機器の間の通信が実装される。但し、これは他にもある可能な複数の通信実装形態の中のほんの一例である。
【００２０】
ｉＢＯＳ  −  ソフトウェアは、ＡＳＲ（アクセス・スイッチング・ルータ）ハード
｜        ウェア上で動作する。
｜      −  高速（Fast）／Ｇｉｇ−イーサネット（登録商標）接続
｜
ＩＰＤ1248    −  ＩＰ−ＤＳＬＡＭ，ＡＤＳＬ
【００２１】
上述の通信の実施形態における使用されたプロトコルは、民生のもの（proprietary）（Broadcom（登録商標）プロトコル）であり、ＨＭＩと称され、可能なプロトコルの一例を示している。
【００２２】
本発明による遠隔インタフェース解決法を用いると、遠隔インタフェース、即ち遠隔機器上のインタフェースは、ローカル・インタフェースのように動作しおよび見えるよう、集約化され構成される（abstracted）。例えば、ルータ＋ＤＳＬＡＭ（Digital Subscriber Line Access Multiplexer：ディジタル加入者線アクセス・マルチプレクサ）の解決法は現在のネットワークにおいて広く用いられている。ＤＳＬＡＭは、ＡＴＭトラフィック（非同期転送モード・トラフィック、Asynchronous Transfer Mode traffic）を、ＤＳＬ線から、ＡＴＭ−またはＶＬＡＮ（仮想ローカルエリア・ネットワーク、Virtual Local Area Network）機能の（ＡＴＭ−またはＶＬＡＮへ）、層３ネットワーク・スタックを終端できるルータへと転送する。これには、オペレータは、ルータとＤＳＬＡＭの双方を別々に機器構成または機能構成（configure）しなければならず、それによって同期外れの（desynchronized）コンフィギュレーションが生じることがある。次の例は、ＤＳＬＡＭとルータの双方における従来技術のコンフィギュレーションを示している。
【００２３】
例：疑似シンタックス（Pseudo-syntax）、従来技術、各機器における１つのコンフィギュレーション（下線は太字を表す）：
ＤＳＬＡＭ機器におけるコンフィギュレーション：
interface line 3（訳：インタフェース・ライン３）
atm pvc 0/32      ／atm（asynchronous transfer line(非同期転送線)）／
forward-to VLAN3（訳：ＶＬＡＮ３へ転送）
no shutdown（訳：非遮断）
ルータ機器におけるコンフィギュレーション：
interface fastethernet1（訳：インタフェース  高速イーサネット（登録商標）１）
accept VLAN 3（訳：ＶＬＡＮを受け入れる）
accept VLAN 3（訳：インタフェースＶＬＡＮ３）
arp entry 10.1.1.2 0008.ae.0203 /arp(address resolution protocol)
（訳：アドレス解決プロトコル）／
no shutdown（訳：非遮断）
【００２４】
コンフィギュレーションのこれら２つの部分は、ルータとＤＳＬＡＭの双方にわたって整合性を維持する必要があり、ネットワーク・オペレータ（処理器）に対する危険性（危険の原因）が生じる。その理由は、各単一のインタフェースは少なくても２つの異なる機器におけるコンフィギュレーションを必要とするからである。
【００２５】
図１Ａは、マスタ／主要機器（ＭＤ）および遠隔機器（ＲＤ１、例えばＡＤＳＬ１）の従来技術のコンフィギュレーションを概略的に示しており、ここでＭＤおよびＲＤ１機器は従来技術によって別々に構成される。成功したコンフィギュレーションが、稲光のシンボルで示されており、これは、マスタ機器ＭＤから遠隔機器ＲＤ１を通る信号経路（パス）またはリンクが双方の機器において実現されたコンフィギュレーションによって動作することを示している。ここで、この実施形態において、遠隔機器ＲＤ１は、図１の四角枠中に参照番号１、２、３で示された３つの信号経路（パス）またはリンクを有する。
【００２６】
本発明は、遠隔インタフェースのコンフィギュレーションによる問題を解決して、既存の機器ソフトウェアおよび／またはハードウェアによって支援される任意の遠隔機器を集約して構成（設定）でき（can be abstracted：一般化できる、抽象化できる、上位概念化できる）、その遠隔機器を管理者に見えないようにし、その代わりにマスタ／主要機器ＭＤにおけるローカル・インタフェースであるかのような遠隔インタフェースを提供する。
【００２７】
図１Ｂは、本発明による、図１Ａにおける機器のコンフィギュレーションを概略的に示している。従って、ここで、稲光のシンボルは、主要機器ＭＤからコンフィギュレーションのための信号経路またはリンクがうまく形成されて成功したことを示し、それは、コンフィギュレーション機器ｆａ１／ａｄｓ１／１を通すことによって遠隔機器ＲＤ１が主要機器ＭＤの運営管理者にとって見えないかのように思われる。コンフィギュレーション・インタフェースは黒点で概略的に示されている。従って、本発明によれば、コンフィギュレーション・インタフェースはｆａ１と称せられる。これは、本発明の一実施形態では、ローカル高速イーサネット（登録商標）インタフェースＮｏ．１（ｆａ１）がそれに取り付けられた１つの遠隔機器ａｄｓｌ１を有し、従って遠隔機器１上のａｄｓｌ線／信号経路／リンク１が後続のフィールドｆａ１／ａｄｓｌ１／１に従って名称が付けられたことを意味する。各フィールドは、この特定の実施形態においてスラッシュ記号（キャラクタ）で分割されているが、本発明はこのような記号に限定されるものではない。それによって、全ての接続機器について、運営管理およびコンフィギュレーションの単一の点を与える。この解決法は、マスタ機器が、インバンド（帯域内）またはアウトバンド（帯域外）のいずれかのメッセージ送信によって遠隔機器を制御ができることを必要とする。これをどのように達成するかは、プラットフォームに依存し、それは本発明の範囲外のことである。
【００２８】
例：本発明によるコンフィギュレーション・インタフェースを有するマスタ機器における唯一のコンフィギュレーション：
ルータ機器におけるコンフィギュレーション：
interface fa1（訳：インタフェースｆａ１）
remote unit adsl1（訳：遠隔ユニットａｄｓｌ１）
／adsl（非同期加入者線）／
interface fa1/adsl1/3（訳：インタフェースｆａ１／ａｄｓｌ１／３）
／configuration in MD／
atm pvc 0/32            ／atm（asynchronous transfer line）／
arp entry 10.1.1.2 0008.ae.0203/arp（address resolution protocol）/
no shutdown（訳：非遮断）
【００２９】
こうして、コンフィギュレーションは、マスタ機器ＭＤにおいて達成され、マスタ機器ＭＤは、運営管理者には完全に見えない遠隔機器ＲＤに対するコンフィギュレーションの伝播を制御する。ＡＲＰ（アドレス解決プロトコル）は、対応するイーサネット（登録商標）アドレス上のＩＰアドレスをマップ（map：マッピング、写像）し、即ち、ＡＲＰは、論理アドレスだけが既知のときに物理アドレスを認識する。
【００３０】
図２Ａは、従来技術におけるような別々に機器構成（コンフィギュア）された複数の遠隔機器ＲＤ１、ＲＤ２、ＲＤ３およびマスタ機器ＭＤの従来技術のコンフィギュレーションを概略的に示しており、それによって各遠隔機器は図２Ａにおいて１および２で示された２つの信号経路／リンクを有する。
【００３１】
図２Ｂは、本発明による、図２Ａにおける機器のコンフィギュレーションを概略的に示しており、例えばｆａ３／ａｄｓｌ３／１として示しており、従って、利用可能な２つのリンクの中のデータ・フィールド、高速イーサネット（登録商標）・インタフェース１／遠隔機器ａｄｓｌ３／リンク１を形成する。ここで、コンフィギュレーション・インタフェースは黒い楕円で概略的に示されている。
【００３２】
一般的に、例えば、遠隔インタフェース名称“ｆａ１／ａｄｓｌ３／１４”は、インタフェースＮｏ．１（第１番）が、ａｄｓｌ１、ａｄｓｌ２、ａｄｓｌ３に接続された少なくとも３つのＲＤ機器を有し、従って機器ＲＤ３上のａｄｓｌ線／リンク１４がｆａ１／ａｄｓｌ３／１４と称せられること、を意味する。また、本発明は、ＲＤの複数レベルのコンフィギュレーションを支援する。機器ＲＤが、例えば、線１４の端部において、８つのポートを有する顧客ＣＰＥ（顧客設備装置）Ｎｏ．１（第１番）に接続されており、それによってポートＮｏ．５（第５番）が構成されるべきものであった場合、本発明の一実施形態によるインタフェース名称はｆａ１／ａｄｓｌ３／１４／ｃｐｅ１／５となってもよいであろう。
【００３３】
図３Ａは、機能構成されるマスタ機器および遠隔機器、および本発明によって機能構成される別の遠隔顧客設備装置（ＣＰＥ）、のコンフィギュレーションを概略的に示している。遠隔インタフェース名称ｆａ１／ａｄｓｌ３／４（pin）は、ＲＤ４機器を接続する線／リンク４を指している。
【００３４】
図３Ｂは、マスタ機器と１チェーンを成す複数の遠隔機器とが、本発明によりどのように機能構成されるか、を概略的に示しており、ｆａ１／ａｄｓｌ３／４／ｃｐｅ１／７としてアドレスされる。これは、遠隔インタフェースＮｏ．１（第１番）、ＲＤ３（ａｄｓｌ３）、線／リンク４が、機能（機器）構成されるポート７を有するＣＰＥに接続することを意味する。
【００３５】
従って、本発明は、使用すべきコンフィギュレーション・インタフェースの名称、機能構成すべき遠隔機器、および遠隔機器においてどの機能を機能構成すべきか、を少なくとも含むそれぞれのデータ・フィールドを、コンフィギュレーション・インタフェースに与える（形成する）ことを含んでいる。本発明は、さらに、その機能構成すべき機器およびその加えられた機器において機能構成すべき機能のためのそれぞれのフィールドをさらに追加することによって、マスタ制御機器から、１つのチェーンを成す複数の接続遠隔機器における任意の接続された（１つの）遠隔機器のコンフィギュレーションを提供する。
【００３６】
さらに、本発明は、マスタ制御機器と、遠隔機器との間のインタラクション（対話）とに関するコンフィギュレーション情報をコンフィギュレーション・インタフェースにおける格納する。このようにして、運営管理者から見て（を考慮して）マスタ制御機器においてローカルに位置するように遠隔機器のコンフィギュレーションを集約して構成して、従って、１つの位置から少なくとも２つの機器のコンフィギュレーションを形成（達成）し、それら機器間において同期外れのコンフィギュレーションを克服（解消）する。
【００３７】
ルータ＋ＤＳＬＡＭのトポロジーは、本発明の一例であり、その例は一般的に上位概念であり、任意の支援された将来のマスタまたは遠隔機器上で動作する。
【００３８】
本発明の技術分野における専門家であれば、本発明の他の実施形態、およびここで開示された実施形態が特許請求の範囲から明らかであることが分かる。
【図面の簡単な説明】
【００３９】
【図１】図１Ａは、マスタ機器と遠隔機器の従来技術のコンフィギュレーションを概略的に示している。図１Ｂは、本発明による、図１Ａにおける機器のコンフィギュレーションを概略的に示している。
【図２】図２Ａは、マスタ機器と複数の遠隔機器の従来技術のコンフィギュレーションを概略的に示している。図２Ｂは、本発明による、図２Ａにおける機器のコンフィギュレーションを概略的に示している。
【図３】図３Ａは、機能構成されるマスタ機器および遠隔機器のコンフィギュレーションと、本発明に従って機能構成された顧客設備装置とを概略的に示している。図３Ｂは、図３Ａに示されたマスタ機器と１チェーンを成す複数の遠隔機器とがどのように機能構成されるかを概略的に示している。
【図１】
2008512041.tif 000003
【図２】
2008512041.tif 000004
【図３】
2008512041.tif 000005
【国際調査報告】
2008512041.tif 000006
2008512041.tif 000007
2008512041.tif 000008